(57)【要約】      （修正有）【課題】陽イオンの発生による履物内の有害菌の除去と遠赤外線の輻射熱による濡れ状態の履物の乾燥のための多用途履物乾燥機を提供する。【解決手段】炭素繊維発熱シート１２、相互離間した状態で炭素繊維発熱シートへ電気を印加する一対の電極と、前記シートの上、下部に積層され縁部で互いに熱圧着される絶縁材質の絶縁部材とからなる面状発熱体１０と;内周縁に面状発熱体挿設溝が形成されており、底部下端には電源入力挿設孔が、上端には陽イオン発生物質挿設溝が形成されており、両側端に多数の環状凹みが形成されている軟質のハウジング２０と;タイム表示部が形成されており、タイマー設定部を有するＡＣ／ＤＣコンバータ３０;及び陽イオン発生物質挿設溝に接着剤で接合され収められる陽イオン発生物質と；から構成され、履物内においてイオン化したエアで殺菌が行われるようにすると共に、面状発熱体から発生する熱によって履物の乾燥が可能にしている。【選択図】  図１
2006136720.tif 000002
【特許請求の範囲】
【請求項１】
炭素繊維発熱シート１２と、相互離間した状態で前記炭素繊維発熱シート１２の片面に配置され前記炭素繊維発熱シート１２へ電気を印加する一対の電極１１と、前記炭素繊維発熱シート１２の上、下部に積層され縁部で互いに熱圧着される絶縁材質の絶縁部材１１とからなる面状発熱体１０と;
内周縁に面状発熱体挿設溝２１が形成されており、底部下端には電源入力挿設孔２３が、上端には陽イオン発生物質挿設溝２４が形成されており、両側端に多数の環状凹み２２が形成されている軟質のハウジング２０と;
タイム表示部が形成されており、タイマー設定部を有するＡＣ／ＤＣコンバータ３０;及び
陽イオン発生物質挿設溝２４に接着剤で接合され収められる陽イオン発生物質４０と；
から構成されたことを特徴とする履物殺菌機。
【請求項２】
陽イオン発生物質４０を陽イオン発生物質挿設溝２４に挿設せず、ハウジング２０の製造時に混合し成形加工したことを特徴とする請求項１に記載の履物殺菌機。
【請求項３】
陽イオン発生物質４０の使用量は、ハウジング２０の材料重量に対し３〜３０％であることを特徴とする請求項２に記載の履物殺菌機。
【発明の詳細な説明】
【技術分野】
【０００１】
本発明は、履物内に存在する有害菌を除菌または殺菌可能であるだけでなく、安全且つ容易に多様な種類の履物を乾燥することができる履物殺菌機に関し、より詳しくは、炭素繊維発熱シート、相互離間した状態で前記炭素繊維発熱シートの片面に配置され前記炭素繊維発熱シートへ電気を印加する一対の電極と、前記炭素繊維発熱シートの上、下部に積層され縁部で互いに熱圧着される絶縁材質の絶縁部材とからなる面状発熱体と;内周縁に面状発熱体挿設溝が形成されており、底部下端には電源入力挿設孔が、上端には陽イオン発生物質挿設溝が形成されており、両側端に多数の環状凹みが形成されている軟質のハウジングと;タイム表示部が形成されており、タイマー設定部を有するＡＣ／ＤＣコンバータ;及び陽イオン発生物質挿設溝に接着剤で接合され収められる陽イオン発生物質と；から構成され、面状発熱体から発生する熱によって履物の乾燥が可能になるようにし、軟質のハウジングとある程度撓み得る面状発熱体の特性によって容易に首が長い履物類の底へまで挿入することができ、タイマーが取り付けられており、直流電源を使うため安全性に優れ、陽イオン発生物質によって陰イオンを呈する細菌を除菌または殺菌可能にしたことを特徴とする履物殺菌機に関する。
【背景技術】
【０００２】
一般に、履物は、歩行者の足を保護する身体保護手段の一種であって、着用者の足裏面を保護する履物底と、足の甲と側面を収容し保護する履物本体からなり、素材とデザイン、使用用途によって運動靴、靴などと多様な製品として生産され、生活になくてはならない必需品として利用されている。
【０００３】
しかし、履物は使用者の足に着用した状態で常時地面と接触するため、使用者の足から分泌される汗をそのまま吸収するようになることはもちろん、各種のほこりまたは雨水などの外部の汚染物質などに接触する場合、汚染物質が吸収され易いため履物が常にじめじめしていて履き心地が悪く、履物に吸収された汗ないし汚染物質が細菌などの微生物によって腐敗して、各種の細菌の繁殖が旺盛になることでひどい悪臭を発生することはもちろん、水虫などのような各種の疾病を誘発するなどの問題点があった。
【０００４】
一方、履物は、表面に異物が付いたり、その内部から悪臭がしたりするなどの場合は、洗浄し乾燥するが、このとき、天気がよくない場合は、乾燥が遅くなってしまって履きたい時に履けない破目になったり、または乾燥の間における微生物の繁殖によりその内部が汚染するという問題点があった。
【０００５】
前記のような問題点を解決するために、履物乾燥機が開発され使われてきているが、従来の一般的な履物乾燥機は、その大半が密閉された空間内に発熱手段を具備し、履物を入れて乾燥するような仕組みであり、このような仕組みの履物乾燥機では、履物から発生する悪臭が乾燥室内に残るようになるため、履物からの悪臭の除去が容易でないのみならず、他の履物を乾燥する時、むしろ悪臭が染みこむなどの問題点があった。
【０００６】
密閉された空間の問題点を解決するために空気を吸いこんで排出する手段を具備した履物乾燥機も開発されたことがあるが、満足のいく効能が得られなかったし、従来の履物乾燥機は、履物を入れられる程の大きさを必要とするため、そのサイズが大型化し持ち運び難いという短所があった。
【０００７】
また、従来の一般的な履物乾燥機は、ニクロム線を発熱体としているため、ニクロム線を保護するカバーが必要になり、大半のカバーは柔軟性を持っていなくて撓み難いため、首が長いブーツや、軍靴、登山靴などはその内部への挿入が困難であるという問題点があった。
【０００８】
一方、履物内から有害菌を除去するために陰イオンを発生する手段を具備する履物乾燥機が知られているが、履物内に存在する有害菌の特性上、殺菌及び除菌の效果が微弱であるという短所があった。
【発明の開示】
【発明が解決しようとする課題】
【０００９】
そこで、本発明は、前記のような問題点を解決するためになされたものであって、その目的は、履物内に存在する有害菌を除菌または殺菌可能であるのみならず、安全且つ容易に多様な種類の履物を乾燥することができる履物殺菌機を提供することにある。
【課題を解決するための手段】
【００１０】
前記目的を達成するために、本発明に係る履物殺菌機は、炭素繊維発熱シート、相互離間した状態で前記炭素繊維発熱シートの片面に配置され前記炭素繊維発熱シートへ電気を印加する一対の電極と、前記炭素繊維発熱シートの上、下部に積層され縁部で互いに熱圧着される絶縁材質の絶縁部材とからなる面状発熱体と;内周縁に面状発熱体挿設溝が形成されており、底部下端には電源入力挿設孔が、上端には陽イオン発生物質挿設溝が形成されており、両側端に多数の環状凹みが形成されている軟質のハウジングと;タイム表示部が形成されており、タイマー設定部を有するＡＣ／ＤＣコンバータ;及び陽イオン発生物質挿設溝に接着剤で接合され収められる陽イオン発生物質と；から構成され、面状発熱体から発生する熱によって履物の乾燥が可能になるようにし、軟質のハウジングとある程度撓み得る面状発熱体の特性によって容易に首が長い履物類の底へまで挿入することができ、タイマーが取り付けられており、直流電源を使うため安全性に優れ、陽イオン発生物質によって陰イオンを呈する細菌を除菌または殺菌可能にした。
【発明の効果】
【００１１】
以上で説明したように、本発明による履物殺菌機は、炭素繊維発熱シート、相互離間した状態で前記炭素繊維発熱シートの片面に配置され前記炭素繊維発熱シートへ電気を印加する一対の電極と、前記炭素繊維発熱シートの上、下部に積層され縁部で互いに熱圧着される絶縁材質の絶縁部材とからなる面状発熱体と;内周縁に面状発熱体挿設溝が形成されており、底部下端には電源入力挿設孔が、上端には陽イオン発生物質挿設溝が形成されており、両側端に多数の環状凹みが形成されている軟質のハウジングと;タイム表示部が形成されており、タイマー設定部を有するＡＣ／ＤＣコンバータ;及び陽イオン発生物質挿設溝に接着剤で接合され収められる陽イオン発生物質と；から構成され、陽イオン発生物質によって陰イオンを呈する細菌を除菌または殺菌し、面状発熱体から発生する熱によって履物の乾燥が可能になるようにし、軟質のハウジングとある程度撓み得る面状発熱体の特性によって容易に首が長い履物類の底へまで挿入することができ、タイマーが取り付けられており、直流電源を使うため安全性に優れているという効果が得られる。
【発明を実施するための最良の形態】
【００１２】
以下、本発明による履物殺菌機の好適な実施の形態について、添付の図面に基づいて詳細に説明する。
【００１３】
図１は、本発明による履物殺菌機の一部切欠斜視図であり、図２は、本発明による履物殺菌機の背面斜視図であり、図３及び図４は、図１のＡ−Ａ'線及びＢ−Ｂ'線に沿う断面図である。
【００１４】
本発明による履物殺菌機は、炭素繊維発熱シート１２と、相互離間した状態で前記炭素繊維発熱シート１２の片面に配置され前記炭素繊維発熱シート１２へ電気を印加する一対の電極１１と、前記炭素繊維発熱シート１２の上、下部に積層され縁部で互いに熱圧着される絶縁材質の絶縁部材１１とからなる面状発熱体１０と;内周縁に面状発熱体挿設溝２１が形成されており、底部下端には電源入力挿設孔２３が、上端には陽イオン発生物質挿設溝２４が形成されており、両側端に多数の環状凹み２２が形成されている軟質のハウジング２０と;タイム表示部が形成されており、タイマー設定部を有するＡＣ／ＤＣコンバータ３０;及び陽イオン発生物質挿設溝２４に接着剤で接合され収められる陽イオン発生物質４０と；から構成されたことを特徴とする。
【００１５】
炭素繊維とは、有機繊維を不活性気体雰囲気中で加熱・炭化してなる繊維であって、セルロース、アクリル繊維、ビニロン、ピッチ（pitch）などの原料が使われ、原料の種類や処理温度によって分子配列と結晶の変化が生じ、一般に炭素の六角環が連なって層状格子を形成した構造を有し、金属光沢があり、黒色や灰色を呈し、強度１０〜２０ｇ／ｄ、比重１.５〜２.１、耐熱性と耐衝撃性に優れており、化学薬品に強く、害虫に対する抵抗性に優れており、加熱過程で酸素、水素、窒素などの分子が抜け出て重量が低減するため、アルミニウムより軽量で且つ鉄に比べて弾性と強度に優れている。
【００１６】
このような特性によって炭素繊維は、スポーツ用品（釣り竿、ゴルフクラブ、テニスラケット）、航空宇宙産業（耐熱材、航空機胴体）、自動車、土木建築（軽量材、内装材）、電機電子、通信（アンテナ）、環境産業（空気浄化器、浄水器）などの各分野の高性能産業用素材として広く使われている。
【００１７】
本発明では、直径５〜５０μｍ、長さ０.５〜２０ｍｍで直径に比べて長さが遥かに長い  炭素繊維をパルプ内に均一に分散配置することで面状発熱体１０の全面における均一な発熱を可能にし、ニクロムなどの発熱線を利用した従来の発熱体の問題点である発熱線部位だけでの部分発熱による温度分布のバラツキという問題点を解決することができる。
【００１８】
また、炭素繊維は、分散の際に粒子形状のカーボンブラック粉末に比べて相互間の接触が遥かに容易に行われるため、分散させる炭素繊維の含量を遥かに広い範囲で変えられ、この結果、様々な発熱特性をもつ面状発熱体１０の製造が可能である。
【００１９】
面状発熱体１０は、炭素繊維をパルプにぎっしりと分散配置して炭素繊維発熱シート１２を製造した後、炭素繊維が接触できるように炭素繊維発熱シート１２上に第１の電極１１を設置してから、炭素繊維発熱シート１２と電極１１を外囲して支持できるように絶縁部材１３、好ましくは、ウレタン樹脂またはエポキシ樹脂を上、下部に配置し、その接合部を熱圧着して熱圧着部１４を形成する方法にて製造され、電極１１へ電源を印加すれば、印加された電源によって炭素繊維が発熱しながら相対的に高温の熱を発し、この熱は、絶縁部材１３を介して外部へと発散される。
【００２０】
上記のように製造された面状発熱体１０は、炭素繊維発熱シート１２と絶縁部材１３が柔軟性を有することから撓み得る特徴があって、首が長い履物類の場合にもその奥の底面まで容易に挿入できる。
【００２１】
一方、ハウジング２０は、上部だけが円形をなしている矩形の枠形態にて製造され、履物への挿入時に履物の内側とぶつかって挿入し難くなるという短所を解決し、内側の外周縁に面状発熱体挿設溝２１を形成し、これに面状発熱体１０を挿入して接着剤で接着固定する。
【００２２】
また、ハウジング２０の底部下端には電源入力手段挿設孔２３を形成し、これに電極１１に接続された電源入力手段、好ましくは、電線を挿入固定し、底部上端には、陽イオン発生物質挿設溝２４を形成し、これに陽イオン発生物質１０を挿入し接着固定する。陽イオン発生物質４０は、広く知られている陽イオンの效果によって銀イオンを呈する各種の細菌または微生物を殺菌または除菌し、ほこりはもとより、微細異物を吸着し、異臭と悪臭成分を除去するなどの機能を発揮するようになる。
【００２３】
陽イオン発生物質４０をハウジング２０の陽イオン発生物質挿設溝２４に挿入固定する方式の他、軟質のハウジング２０の製造時に陽イオン発生物質４０をハウジング２０の材料重量に対して３〜３０％混合して成形加工し、ハウジング２０自体から陽イオンが発生できるように構成することも可能であり、この時、陽イオン発生物質４０の使用量が３％未満の場合は、添加效果が微弱であり、３０％を超える場合は、ハウジング２０の柔軟性が低下するという問題点がある。
【００２４】
さらには、ハウジング２０の両側端には、多数の環状凹み２２を形成し、ハウジング２０と履物面とが密着して面状発熱体２０から発生する熱がハウジング２０の外部に発散することで履物の乾燥が容易に行われるようにする。
【００２５】
本発明では、安定した発熱のために直流電源を使い、このためにＡＣ／ＤＣコンバータ３０を使うが、タイム表示部（図示せず）が形成されており、タイマー設定部（図示せず）が設けられているものを使うため、履物が完全に乾燥した後は発熱が中止し、火事などの災難が起きないようにすると共に、履物の材質が劣化して耐久性が低下することを防止した。
【００２６】
ハウジング２０は、軟質の合成樹脂材であれば、その種類に特に制限はなく、面状発熱体１０から発生する熱によって変形が起きない材料であれば、いすれも使用可能であり、陽イオン発生物質４０も特に制限されることはなく、陽イオンが多量発生する材料であれば、いずれも使用可能である。例えば、陽イオン発生物質４０は、カルシウム、ナトリウム、マグネシウムなどのように陽イオンを呈する金属粉末を使うことができ、金属粉末を不織布からなる包装容器に投入し陽イオン発生物質挿設溝２４に挿入させ、面状発熱体１０から熱が発生すれば金属陽イオンが多量発生するようになる。
【００２７】
上述したように構成される履物殺菌機を、履物の奥へスムーズに挿入した後、タイマー設定部（図示せず）を利用して履物が乾燥するに十分な時間にてタイマーを設定した後、電源を印加すれば、直流の電源が面状発熱体１０の電極１１を介して炭素繊維発熱シート１２へ電気が流れながら熱を発生し、発生する熱はハウジング２０の両側端に形成された環状凹み２２を介して流出し、熱が履物の足の挿入部に流出しながら履物の内部を乾燥させるようになるのである。
【００２８】
特に、本発明による履物殺菌機では、直流電源を使うため電気の供給を受けることができない所でもバッテリーを利用して履物を乾燥させることができることはもちろん、安全性に優れており、小型なので持ち歩きやすく、軟質の材料を使って製造されるため首部分が長い履物類への適用時にも履物の奥側の底へまで挿入可能であり、且つ大半の履物内の有害菌は負の電荷を呈しているので、陽イオン発生物質４０から発生する陽イオンに吸着され、除菌及び殺菌される效果が得られるという有用な発明である。
【図面の簡単な説明】
【００２９】
【図１】本発明による履物殺菌機の一部切欠斜視図である。
【図２】本発明による履物殺菌機の背面斜視図である。
【図３】図１のＡ−Ａ'線及びＢ−Ｂ'線に沿う断面図である。
【図４】図１のＡ−Ａ'線及びＢ−Ｂ'線に沿う断面図である。
【符号の説明】
【００３０】
１０  面状発熱体
１１  電極
１２  炭素繊維発熱シート
１３  絶縁部材
１４  熱圧着部
２０  ハウジング
２１  面状発熱体挿設溝 
２２  環状凹み
２３  電源入力手段挿設孔 
２４  陽イオン発生物質挿設溝
３０  ＡＣ／ＤＣコンバータ
【図１】
2006136720.tif 000003
【図２】
2006136720.tif 000004
【図３】
2006136720.tif 000005
【図４】
2006136720.tif 000006